(57)【要約】【課題】現用側と予備側ともにビデオサーバーまたは映像ファイル転送のネットワークに障害が発生しても、映像ファイルデータをデコードしてオンエアーする。【解決手段】放送用の映像ファイルを収録し再生した映像ファイルデータを出力するビデオサーバーと、映像ファイルデータを変換して出力する大容量記憶部を内蔵した出力部と、該ビデオサーバーの収録と再生とを制御する制御装置を現用側と予備側とに完全二重化して有し、前記大容量記憶部はＨＤＤまたは多ビット／セルのＮＡＮＤ型フラッシュメモリまたはＮＡＮＤ型フラッシュメモリでバッファリングしたＨＤＤの少なくとも１つであり、再生する映像ファイルデータを前記大容量記憶部に複写しておき、現用側と予備側ともに障害発生時には、前記大容量記憶部から再生した映像ファイルデータを前記大容量記憶部を内蔵したデコーダーでデコードして映像信号として出力するビデオサーバーシステム。【選択図】図１
2012253733.tif 000002
【特許請求の範囲】
【請求項１】
放送用の映像ファイルを収録し再生した映像ファイルデータを出力するビデオサーバーと、ＨＤＤまたは多ビット／セルのＮＡＮＤ型フラッシュメモリまたはＮＡＮＤ型フラッシュメモリでバッファリングしたＨＤＤの少なくとも１つの大容量記憶部を内蔵し映像ファイルデータを変換して出力する大容量記憶部を内蔵した出力部と、映像ファイルデータを転送するネットワークとを有し、
再生する映像ファイルデータを前記ビデオサーバーから前記記憶部に前記映像ファイルデータを転送するネットワーク経由で複写しておき、
前記映像ファイルデータを転送できない障害発生時には、前記記憶部から再生した映像ファイルデータを前記大容量記憶部を内蔵した出力部で変換して出力することを特徴とするビデオサーバーシステム。
【請求項２】
請求項１のビデオサーバーシステムにおいて、
上記大容量記憶部を内蔵した出力部は、追加したバックアップデコーダーであり、該バックアップデコーダーは、現用側と予備側との送出デコーダーとは別に、再生する映像ファイルデータを前記ビデオサーバーから前記大容量記憶部に前記映像ファイルデータを転送するネットワーク経由で複写しておき、前記ビデオサーバーまたは前記映像ファイルデータを転送するネットワークまたは前記制御装置の少なくともいずれかの障害発生時には、前記大容量記憶部から再生した映像ファイルデータを前記バックアップデコーダーでデコードして映像信号として出力することと、もしくは、
上記大容量記憶部を内蔵した出力部は、送出デコーダーであり、該送出デコーダーは、再生する映像ファイルデータを前記ビデオサーバーから前記大容量記憶部に前記映像ファイルデータを転送するネットワーク経由で所定の時間分を先読みしておき、前記ビデオサーバーまたは前記映像ファイルデータを転送するネットワークまたは前記制御装置の少なくともいずれかの障害発生時には、前記大容量記憶部から再生した映像ファイルデータを前記送出デコーダーでデコードして映像信号として出力することと、もしくは、
上記大容量記憶部を内蔵した出力部は、送出トランスコーダーであり、該送出トランスコーダーは、再生する映像ファイルデータを前記ビデオサーバーから前記大容量記憶部に前記映像ファイルデータを転送するネットワーク経由で所定の時間分を先読みしておき、前記ビデオサーバーまたは前記映像ファイルを転送するネットワークまたは前記制御装置の少なくともいずれかの障害発生時には、前記大容量記憶部から再生した映像ファイルデータを前記送出トランスコーダーでトランスコードしてＴＳ（Transport  Stream）信号として出力することと、
の少なくとも一方を特徴とするビデオサーバーシステム。
【請求項３】
請求項１または請求項２のいずれかのビデオサーバーシステムにおいて、
前記ビデオサーバーと、該ビデオサーバーの収録と再生とを制御する制御装置と、を現用側と予備側とに完全二重化して有し、現用側と予備側ともに、前記ビデオサーバーまたは前記映像ファイルデータを転送するネットワークまたは前記制御装置の少なくともいずれかの障害発生時には、前記大容量記憶部から再生した映像ファイルデータを前記大容量記憶部を内蔵した出力部で変換して出力することを特徴とするビデオサーバーシステム。
【請求項４】
請求項１のビデオサーバーシステムにおいて、
上記映像ファイルデータを転送するネットワークは仮想化専用回線であり、上記大容量記憶部を内蔵した出力部は免振構造の建物または免振ラック等の部分的な免振構造の少なくとも一方に設置されていることを特徴とするビデオサーバーシステム。
【発明の詳細な説明】
【技術分野】
【０００１】
本発明は、番組素材を、ビデオサーバーに映像ファイルデータ形式で記録し再生し変換して放送する方式のビデオサーバーシステムに関するものである。
【背景技術】
【０００２】
テレビジョン放送業務では、従来からビデオサーバーを備えたノンリニアバンクシステムを用い、ＶＴＲ(Video Tape Recorder）等の記録装置に記録されている番組やＣＭ等の放送素材（以下素材と省略）を、ビデオサーバーに記録（以下収録と省略）した上で、再生しデコードしてオンエアーして放送している（特許文献１参照）。ビデオサーバーの入出力信号が非圧縮の映像信号から、圧縮された映像ファイルデータ形式となり、テープレスシステムと呼称されるようになった。
つまり、テープレスシステムでは、素材の映像信号をＭＰＥＧ（Moving  Picture  Experts  Group）等で動画圧縮（エンコード）し、映像ファイルデータとして収録し再生し動画伸張（デコード）し、映像信号に変換して出力する。映像信号は、放送用動画圧縮形式のＴＳ（Transport  Stream）信号に動画圧縮（エンコード）し、放送電波塔に伝送し、放送電波塔に設置された放送機で変調し周波数変換し高周波増幅し、放送電波塔に設置されたアンテナから放送電波として放送（On  Air：ＯＡ）する。
【０００３】
従来のネットワーク型ビデオサーバーシステムの構成を示すブロック図を図３に示す。
図３は、完全二重化の冗長システムであり、１系、２系共に同用のハードウェア構成となっている。片系の主なハードウェアは編集機やＶＴＲ等の入力ソースから素材を取り込み蓄積しておく素材（登録）サーバー、直近の送出素材を素材サーバーからコピー転送し蓄積しておく送出サーバー、上位システムから制御信号を受けデコーダーを制御する送出コントローラ等で構成されている。尚、素材（登録）サーバーには大容量のスペックを求められるためＨＤＤ（Hard  Disk  Drive）を用い、送出サーバーにはディスクの安定性を求められるためＳＳＤ（Ｓｏｌｉｄ  State  Drive）を用いている。
【０００４】
従来は、従来、ネットワーク型ビデオサーバーシステムは１系、２系ともに同様のハードウェア構成を持つ完全二重化した冗長システムを採用している。１系を現用側の機器として運用し、バックグラウンドで常に２系を予備側の機器として同等の稼動しており、障害発生時には現用側と予備側のシステムを切替えて可用性を保持している。
完全二重化した冗長システムにおいて信頼性を上げるため、障害発生時にも継続的に稼動するよう、記録されている映像ファイルデータを再生しデコードしてオンエアーする送出系の冗長化を強化する必要性がある。
送出系の冗長化を強化するためには第３系をバックアップとしてシステム構成を追加することが尚安全であるが同様のハードウェア構成では製品及び運用・管理コストが膨大にかかってしまう。
【０００５】
また、動作時４００Ｇ（２ｍｓ）の衝撃に耐え、平均シーク時間 (リード)１２ｍｓと短く、７５０ＧＢと大容量の２．５型ＨＤＤも発売された（非特許文献１参照）。低価格で大容量の高信頼３．５型ＨＤＤも発売された（非特許文献３参照）。さらに、２ビット／セルの製品として６４ギガビット（８ギガバイト）の大容量ＮＡＮＤ型フラッシュメモリも製品化された（非特許文献２参照）。
また、毎秒約６ギガビットの超高精細映像を伝送する大容量の仮想ネットワークも運用可能となった（非特許文献４参照）。
【先行技術文献】
【特許文献】
【０００６】
【特許文献１】特開２００５ −２１０４９０号公報
【非特許文献】
【０００７】
【非特許文献１】日立グローバルストレージテクノロジーズ 最大容量750ギガバイトの2.5型ハードディスク装置を販売開始http://www.hitachigst.com/portal/binary/com.epicentric.contentmanagement.servlet.ContentDeliveryServlet/JP_Public/aboutus/press_rsc/2010100501.pdf
【非特許文献２】東芝２４ｎｍプロセスを用いた６４ギガビットの大容量品を量産http://www.toshiba.co.jp/about/press/2010_08/pr_j3101.htm
【非特許文献３】日立グローバルストレージテクノロジーズ 記憶容量3 テラバイトのサーバ向け3.5 型ハードディスク装置を出荷開始http://www.hitachigst.com/portal/binary/com.epicentric.contentmanagement.servlet.ContentDeliveryServlet/JP_Public/aboutus/press_rsc/2011012501.pdf
【非特許文献４】ＮＴＴ、光パスとＩＰの統合制御によりダイナミックに仮想ネットワークを構成する技術を開発技術を開発http://www.ntt.co.jp/news2010/1011/101111b.html
【発明の概要】
【発明が解決しようとする課題】
【０００８】
本発明は、現用側と予備側ともにともにビデオサーバーまたは映像ファイルデータ転送のネットワークに障害が発生しても、映像ファイルデータを変換出力してオンエアーすることを目的とする。
【課題を解決するための手段】
【０００９】
本発明は、上記の目的を達成するために、放送用の映像ファイルを収録し再生した映像ファイルデータを出力するビデオサーバーと、ＨＤＤまたは多ビット／セルのＮＡＮＤ型フラッシュメモリまたはＮＡＮＤ型フラッシュメモリでバッファリングしたＨＤＤの少なくとも１つの大容量記憶部を内蔵し映像ファイルデータを変換して出力する大容量記憶部を内蔵した出力部と、映像ファイルデータを転送するネットワークとを有し、再生する映像ファイルデータを前記ビデオサーバーから前記記憶部に前記映像ファイルデータを転送するネットワーク経由で複写しておき、前記映像ファイルデータを転送できない障害発生時には、前記記憶部から再生した映像ファイルデータを前記大容量記憶部を内蔵した出力部で変換して出力することを特徴とするビデオサーバーシステムである。
【００１０】
また、上記のビデオサーバーシステムにおいて、上記大容量記憶部を内蔵した出力部は、追加したバックアップデコーダーであり、該バックアップデコーダーは、現用側と予備側との送出デコーダーとは別に、再生する映像ファイルデータを前記ビデオサーバーから前記大容量記憶部に前記映像ファイルデータを転送するネットワーク経由で複写しておき、前記ビデオサーバーまたは前記映像ファイルデータを転送するネットワークまたは前記制御装置の少なくともいずれかの障害発生時には、前記大容量記憶部から再生した映像ファイルデータを前記バックアップデコーダーでデコードして映像信号として出力することと、もしくは、上記大容量記憶部を内蔵した出力部は、送出デコーダーであり、該送出デコーダーは、再生する映像ファイルデータを前記ビデオサーバーから前記大容量記憶部に前記映像ファイルデータを転送するネットワーク経由で所定の時間分を先読みしておき、前記ビデオサーバーまたは前記映像ファイルデータを転送するネットワークまたは前記制御装置の少なくともいずれかの障害発生時には、前記大容量記憶部から再生した映像ファイルデータを前記送出デコーダーでデコードして映像信号として出力することと、もしくは、上記大容量記憶部を内蔵した出力部は、送出トランスコーダーであり、該送出トランスコーダーは、再生する映像ファイルデータを前記ビデオサーバーから前記大容量記憶部に前記映像ファイルデータを転送するネットワーク経由で所定の時間分を先読みしておき、前記ビデオサーバーまたは前記映像ファイルを転送するネットワークまたは前記制御装置の少なくともいずれかの障害発生時には、前記大容量記憶部から再生した映像ファイルデータを前記送出トランスコーダーでトランスコードしてＴＳ（Transport  Stream）信号として出力することと、の少なくとも一方を特徴とするビデオサーバーシステムである。
【００１１】
さらに、上記のビデオサーバーシステムにおいて、前記ビデオサーバーと、該ビデオサーバーの収録と再生とを制御する制御装置と、を現用側と予備側とに完全二重化して有し、現用側と予備側ともに、前記ビデオサーバーまたは前記映像ファイルデータを転送するネットワークまたは前記制御装置の少なくともいずれかの障害発生時には、前記大容量記憶部から再生した映像ファイルデータを前記大容量記憶部を内蔵した出力部で変換して出力することを特徴とするビデオサーバーシステムである。
【００１２】
また、上記のビデオサーバーシステムにおいて、上記映像ファイルデータを転送するネットワークは仮想化専用回線であり、上記大容量記憶部を内蔵した出力部は免振構造の建物または免振ラック等の部分的な免振構造の少なくとも一方に設置されていることを特徴とするビデオサーバーシステムである。
【発明の効果】
【００１３】
以上のように本発明によれば、現用側と予備側ともにビデオサーバーに障害が発生しても、映像ファイルデータ転送のネットワークに障害が発生しても、影響を受けることがなく大容量記憶部を内蔵した出力部の大容量記憶部に記録されている映像ファイルデータを再生し変換出力してオンエアーすることができる。
【図面の簡単な説明】
【００１４】
【図１】本発明の１実施例のビデオサーバーシステムの構成を示すブロック図
【図２】本発明の１実施例のビデオサーバーシステムの障害時のデータ参照系統の模式図
【図３】従来のネットワーク型ビデオサーバーシステムの構成を示すブロック図
【図４】本発明の１実施例のビデオサーバーシステムの構成を示すブロック図
【図５】本発明の１実施例のビデオサーバーシステムの障害時のデータ参照系統の模式図
【図６】本発明の１実施例のビデオサーバーシステムの構成を示すブロック図
【図７】本発明の１実施例のビデオサーバーシステムの障害時のデータ参照系統の模式図
【発明を実施するための形態】
【実施例１】
【００１５】
本発明の１実施例のビデオサーバーシステムの構成を示すブロック図の図１と本発明の１実施例のビデオサーバーシステムの障害時のデータ参照系統の模式図の図２とを用いて説明する。
本発明では図１にあるように１系を現用側の機器として、バックグラウンドで常に２系を予備側の機器としている送出サーバーとは別に該当サービスチャンネルの３日分以上の素材蓄積容量をローカルＨＤＤに持つバックアップデコーダーを設ける事で低コストでより強固な冗長システムの実現を可能とする。
【００１６】
本発明の１実施例のテープレスシステムの構成を示すブロック図の図１において、１は１系素材（登録）サーバー、２は１系素材ＨＤＤ、３は１系送出コントローラ、４は１系送出サーバー、５は１系送出ＳＳＤ、６は１系デコーダー、７は２系素材（登録）サーバー、８：２系素材ＳＳＤ、９は２系送出コントローラ、10は２系送出サーバー、11は２系送出ＳＳＤ、12は２系デコーダー、13はバックアップ系送出コントローラ、14はバックアップ系ＨＤＤ内蔵デコーダーであり、広帯域なネットワークで接続されている。圧縮されていた素材からデコーダーでデコードされた出力映像信号を図示しない放送電波塔に伝送し、放送電波塔に設置された放送機で変調し周波数変換し高周波増幅し、放送電波塔に設置されたアンテナから放送電波として放送（On  Air：ＯＡ）する。
具体的な動作順序としては、１系を現用側の機器として、３の１系送出コントローラの指示に従い、６の１系デコーダーは４の１系送出サーバーに素材転送を要求し、５の１系送出ＳＳＤから４の１系送出サーバー経由で転送された圧縮されていた素材から６の１系デコーダーでデコードされた出力映像信号がＯＡされる。また、２系を予備側の機器として、９の２系送出コントローラの指示に従い、１２の２系デコーダーは１０の２系送出サーバーに素材転送を要求し、１１の２系素材ＳＳＤから１０の２系送出サーバー経由で転送された圧縮されていた素材から１２の２系デコーダーでデコードされた出力映像信号がＯＡされる準備をバックグラウンドで常にしている。
【００１７】
ネットワーク型ビデオサーバーシステムは通常直近のＯＡプレイリストを上位システムから受信すると該当するＣＭ及び番組素材を素材サーバーから送出サーバーへ転送する。本発明ではサービスチャンネルの３日分以上のＣＭ及び番組素材蓄積容量をローカルＨＤＤに持つバックアップデコーダーを設け、素材サーバーから送出サーバーへの素材転送のタイミングでバックアップデコーダーのローカルＨＤＤにも素材転送を行なう。具体的な動作順序としては、13のバックアップ系送出コントローラの指示に従い、１４のバックアップデコーダーは１または７の素材サーバーに素材転送を要求し、２または８の素材ＳＳＤから１または７の素材サーバー経由で転送された素材をローカルＨＤＤに蓄積する。
これにより現用側の１系も予備側の２系もともに送出サーバーまたはデコーダーまたは広帯域なネットワークに障害が起きたとしても、１系、２系の高信頼性のＳＳＤディスクを持つ送出サーバーとは別に内蔵したローカルＨＤＤに素材蓄積を行なうバックアップデーコーダーからの送出も可能となる。
【００１８】
また、本発明の１実施例のビデオサーバーシステムの障害時のデータ参照系統の模式図の図２に示すようにバックアップ系デコーダーのネットワークに障害が起きたとしても内蔵したローカルＨＤＤに素材を蓄積しているため、素材サーバーからの転送は出来なくなるが直近の素材は問題なく送出を行なう事が可能となる。
【００１９】
本発明はネットワーク型ビデオサーバーシステムでの冗長化方式をハードウェアの完全二重化方式ではなく、大容量の内蔵したローカルＨＤＤを持つバックアップデコーダーを構成に組み込むことで２.５重化のような冗長性を低コストで実現することが可能となる。またバックアップデコーダーは内蔵したローカルＨＤＤに素材を蓄積して、送出を行なう他系とは別方式の送出形態をとるためネットワーク障害発生時等にも影響を受けることがなく、直近の素材は問題なく送出を行なう事が可能となる。その結果、送出ＳＳＤより低価格なＨＤＤを用いて、システム全体としてはより信頼性の高い冗長システムとすることが可能である。
【００２０】
本発明のバックアップデコーダーに内蔵した大容量のローカルＨＤＤは、非特許文献２の動作時４００Ｇ（２ｍｓ）の衝撃に耐え、平均シーク時間 (リード)１２ｍｓと短く、７５０ＧＢと大容量の２．５型ＨＤＤとすれば、地震時のネットワーク障害発生時等にも影響を受けることがなく、直近の素材は問題なく送出を行なう事が可能となる。その結果、送出ＳＳＤより低価格な２．５型ＨＤＤを用いて、システム全体としてはより信頼性の高い冗長システムとすることが可能である。非特許文献３等の低価格で大容量の高信頼３．５型ＨＤＤの動作時耐衝撃が向上して、バックアップデコーダーの内蔵ＨＤＤに採用すれば、２．５型ＨＤＤより低価格化が可能である。また、低価格で大容量の高信頼ＨＤＤを内蔵したデコーダーを免振ラック等の部分的な免振構造に組み込み、地震の振動を吸収してもよい。
また、内蔵した大容量のローカルＨＤＤを、非特許文献２の２ビット／セルの８ギガバイトのＮＡＮＤ型フラッシュメモリ、または、３、４、５、６、７、８と多ビット／セルのＮＡＮＤ型フラッシュメモリを用いた送出ＳＳＤより低価格なＳＳＤに置き換えれば、１ビット／セルのＮＡＮＤ型フラッシュメモリを用いた送出ＳＳＤよりは、単体の信頼性は低いが、ＨＤＤよりは単体の信頼性が向上し、送出ＳＳＤより低価格な多ビット／セルのＳＳＤを用いて、システム全体としてはより信頼性の高い冗長システムとすることが可能である。
さらに、内蔵した大容量のローカルＨＤＤを、ＮＡＮＤ型フラッシュメモリでバッファリングしたＨＤＤに置き換えれば、１ビット／セルのＮＡＮＤ型フラッシュメモリを用いた送出ＳＳＤよりは、単体の信頼性は低いが、ＨＤＤよりは単体の信頼性が向上し、送出ＳＳＤより低価格なＮＡＮＤ型フラッシュメモリでバッファリングしたＨＤＤを用いて、システム全体としてはより信頼性の高い冗長システムとすることが可能である。
【００２１】
つまり、本発明はネットワーク型ビデオサーバーシステムでの冗長化方式をハードウェアの完全二重化方式ではなく、大容量の内蔵したローカルのＨＤＤまたは多ビット／セルのＮＡＮＤ型フラッシュメモリまたはＮＡＮＤ型フラッシュメモリでバッファリングしたＨＤＤの少なくとも１つの記憶部を持つバックアップデコーダーを構成に組み込むことで２.５重化のような冗長性を低コストで実現することが可能となる。またバックアップデコーダーは内蔵したローカル記憶部に素材を蓄積して、送出を行なう他系とは別方式の送出形態をとるためネットワーク障害発生時等にも影響を受けることがなく、直近の素材は問題なく送出を行なう事が可能となる。その結果、送出ＳＳＤより低価格な記憶部を用いて、システム全体としてはより信頼性の高い冗長システムとすることが可能である。
【実施例２】
【００２２】
実施例１と同一部分の説明は省略し、異なる部分のみ説明する。
実施例１では、１系の現用側の機器と２系の予備側の機器とに、大容量の記憶部を持つバックアップデコーダーを構成に追加して、より信頼性の高い冗長システムとする。それに対し、実施例２では、１系の現用側の機器または２系の予備側の機器として送出を行なうデコーダーに、大容量の記憶部を組み込み、送出用の映像ファイルを先読みして、内蔵したローカル記憶部に素材を蓄積することで、実施例１より少ない構成と少ない制御とで、実施例１と同等の信頼性の高い冗長システムとする。
図４は本発明の１実施例のビデオサーバーシステムの構成を示すブロック図で、図５は本発明の１実施例のビデオサーバーシステムの障害時のデータ参照系統の模式図であり、１５は１系送出大容量記憶部内蔵出力部（デコーダーまたはトランスコーダー）で、１６は２系送出大容量記憶部内蔵出力部（デコーダーまたはトランスコーダー）であり、広帯域なネットワークで接続されている。大容量記憶部はＨＤＤ、または多ビット／セルのＮＡＮＤ型フラッシュメモリ、またはＮＡＮＤ型フラッシュメモリでバッファリングしたＨＤＤのいずれでも良い。図４と図５の出力が映像信号なら、図４と図５の１５と１６は送出大容量記憶部内蔵デコーダーであり、図４と図５の出力が放送用映像圧縮形式のＴＳ（Transport  Stream）信号なら、図４と図５の１５と１６は送出大容量記憶部内蔵トランスコーダーであり、送出用の映像ファイルデータを放送用の動画圧縮形式のＴＳ信号に変換（トランスコード）する。いずれにせよ１５と１６の送出大容量記憶部内蔵出力部は送出用の映像ファイルを変換して出力する。
【００２３】
送出用の映像ファイルデータは、編集し易い様に各フレームで独立したイントラフレームの動画圧縮形式が多いが、編集の論理処理速度が高速になれば、各フレーム間の相関を利用立したインターフレームの動画圧縮形式でも構わない。放送用の動画圧縮形式のＴＳ信号は、伝送情報量を少なくする様に各フレーム間の相関を利用立したインターフレームの動画圧縮形式が多いが、動画圧縮の論理処理速度が高速になり画質を保って各フレームで独立したイントラフレームの動画圧縮の圧縮率が高くなれば、各フレームで独立したイントラフレームの動画圧縮形式でも構わない。
【００２４】
ネットワーク型ビデオサーバーシステムは通常直近のＯＡプレイリストを上位システムから受信すると該当するＣＭ及び番組素材を素材サーバーから送出サーバーへ転送する。本発明ではサービスチャンネルの３日分以上のＣＭ及び番組素材蓄積容量をローカルドライブに持つ送出デコーダーに素材サーバーから送出サーバーへの素材転送のタイミングで送出デコーダーのローカルドライブにも素材転送を行なう。
以下図４と図５の１５と１６の送出大容量記憶部内蔵出力部を送出ＨＤＤ内蔵デコーダーで代表させて説明する。
具体的な動作順序としては、１系を現用側の機器として、３の１系送出コントローラの指示に従い、１５の１系送出ＨＤＤ内蔵デコーダーは４の１系送出サーバーに素材転送を要求し、５の１系送出ＳＳＤから４の１系送出サーバー経由で転送された圧縮されていた素材から１５の１系送出ＨＤＤ内蔵デコーダーでデコードされた出力映像信号がＯＡされる。また、２系を予備側の機器として、９の２系送出コントローラの指示に従い、１６の２系送出ＨＤＤ内蔵デコーダーは１０の２系送出サーバーに素材転送を要求し、１１の２系素材ＳＳＤから１０の２系送出サーバー経由で転送された圧縮されていた素材から１６の２系送出ＨＤＤ内蔵デコーダーでデコードされた出力映像信号がＯＡされる準備をバックグラウンドで常にしている。
さらに、３の１系送出コントローラの指示に従い、１５の１系送出ＨＤＤ内蔵デコーダーは１の素材サーバーに素材転送を要求し、２の素材ＳＳＤから１の素材サーバー経由で転送された素材をローカルＨＤＤに蓄積する。そして、９の２系送出コントローラの指示に従い、１６の２系送出ＨＤＤ内蔵デコーダーは７の素材サーバーに素材転送を要求し、８の素材ＳＳＤから７の素材サーバー経由で転送された素材をローカルＨＤＤに蓄積する準備をバックグラウンドで常にしている。
これにより現用側の１系も予備側の２系もともに送出サーバーまたは広帯域なネットワークに障害が起きたとしても、１系、２系の高信頼性のＳＳＤディスクを持つ送出サーバーとは別にローカルドライブに素材蓄積を行なう送出デーコダーからの送出も可能となる。
【００２５】
また、図５に示すように送出系ネットワークに障害が起きたとしてもローカルドライブに素材を蓄積しているため、素材サーバーからの転送は出来なくなるが直近の素材は問題なく送出を行なう事が可能となる。
本発明はネットワーク型ビデオサーバーシステムでの冗長化方式をハードウェアの完全二重化方式ではなく、大容量のローカルドライブを持つバックアップデコーダーを構成に組み込むことで２.５重化のような冗長性を低コストで実現することが可能となる。また送出デコーダーはローカルドライブに素材を蓄積して送出を行なうため、映像ファイル転送のネットワーク障害発生時等にも影響を受けることがなくより信頼性の高い冗長システムとすることが可能である。
【００２６】
つまり、本発明はネットワーク型ビデオサーバーシステムでの冗長化方式をハードウェアの完全二重化方式ではなく、デコーダーに、大容量の内蔵したローカルのＨＤＤまたは多ビット／セルのＮＡＮＤ型フラッシュメモリまたはＮＡＮＤ型フラッシュメモリでバッファリングしたＨＤＤの少なくとも１つの内蔵したローカル記憶部を組み込むことで２.５重化のような冗長性を低コストで実現することが可能となる。またデコーダーは送出用の映像ファイルを記憶部の容量に応じた所定の時間分を先読みして、内蔵したローカル記憶部に素材を蓄積するため、ネットワーク障害発生時等にも影響を受けることがなく、直近の素材は問題なく送出を行なう事が可能となる。その結果、送出ＳＳＤより低価格な記憶部を用いて、システム全体としてはより信頼性の高い冗長システムとすることが可能である。記憶部の容量が増加するに応じて所定の時間は増加する。
デコーダーが先読みする送出用の映像ファイルは、素材（登録）サーバーから参照しても良いし、送出サーバーから参照しても良い。
【００２７】
内蔵したローカル記憶部は、送出ＳＳＤほどの信頼性はないが安価であり、容量の増加も容易である。内蔵したローカル記憶部の容量が増加して、送出ＳＳＤと同等になれば、送出ＳＳＤが素材（登録）サーバーから参照する時点で、内蔵したローカル記憶部も素材（登録）サーバーから参照することで、送出用の映像ファイルを先読みしておけば、バックアップデコーダーを追加したことと、同等に信頼性が向上する。
【実施例３】
【００２８】
実施例２と同一部分の説明は省略し、異なる部分のみ説明する。
実施例２では、素材（登録）サーバーと送出サーバーとを１系の現用側と２系の予備側とに構成し信頼性の高い冗長システムとする。それに対し、実施例３では、素材（登録）サーバーと送出サーバーとを統合した統合サーバーを１系の現用側と２系の予備側とにさらにそれぞれバックアップ系とを追加した構成とし、高コストだが単なる４重系よりもさらに信頼性の高い冗長システムとする。
図６は本発明の１実施例のビデオサーバーシステムの構成を示すブロック図で、図７は本発明の１実施例のビデオサーバーシステムの障害時のデータ参照系統の模式図であり、１７は１系統合サーバー、１８は２系統合サーバー、１９は１系バックアップ統合サーバー、２０は２系バックアップ統合サーバーであり、２１は１系統合ＳＳＤ、２２は２系統合ＳＳＤ、２３は１系バックアップ統合ＳＳＤ、２４は２系バックアップ統合ＳＳＤであり、広帯域なネットワークで接続されている。統合ＳＳＤと内蔵ＨＤＤとは多ビット／セルのＮＡＮＤ型フラッシュメモリまたはＮＡＮＤ型フラッシュメモリでバッファリングしたＨＤＤでも良い。
【００２９】
具体的な動作順序としては、１系を現用側の機器として、３の１系送出コントローラの指示に従い、１５の１系送出ＨＤＤ内蔵デコーダーは１７の１系統合サーバーに素材転送を要求し、２１の１系統合ＳＳＤから１７の１系統合サーバー経由で転送された圧縮されていた素材から１５の１系送出ＨＤＤ内蔵デコーダーでデコードされた出力映像信号がＯＡされる。また、２系を予備側の機器として、９の２系送出コントローラの指示に従い、１６の２系送出ＨＤＤ内蔵デコーダーは１０の２系送出サーバーに素材転送を要求し、１１の２系素材ＳＳＤから１０の２系送出サーバー経由で転送された圧縮されていた素材から１６の２系送出ＨＤＤ内蔵デコーダーでデコードされた出力映像信号がＯＡされる準備をバックグラウンドで常にしている。
さらに、３の１系送出コントローラの指示に従い、１５の１系送出ＨＤＤ内蔵デコーダーは１８の２系統合サーバーに素材転送を要求し、２２の２系統合ＳＳＤから１８の２系統合サーバー経由で転送された素材をローカルＨＤＤに蓄積する。そして、９の２系送出コントローラの指示に従い、１６の２系送出ＨＤＤ内蔵デコーダーは１８の２系統合サーバーに素材転送を要求し、２２の２系統合ＳＳＤから１８の２系統合サーバー経由で転送された素材をローカルＨＤＤに蓄積する準備をバックグラウンドで常にしている。
これにより現用側の１系も予備側の２系もともに送出サーバーまたは広帯域なネットワークに障害が起きたとしても、１系、２系の高信頼性の統合ＳＳＤディスクを持つ統合サーバーとは別にローカルドライブに素材蓄積を行なう送出デーコダーからの送出も可能となる。
【００３０】
実施例３にさらに、実施例１のバックアップデコーダーを追加した構成としさらに信頼性の高い４．５重系の冗長システムとしても良い。
あるいは、図６と図７のバックアップ統合サーバーを省略して、ローカル記憶部を内蔵したデコーダーにより、低コストで信頼性の高い冗長システムとしても良い。
さらには、図６と図７のバックアップ統合サーバーと２系の予備側とを省略して、ローカル記憶部を内蔵したデコーダーだけにより、より低価格で信頼性の高い冗長システムとしても良い。さらに、図６と図７の送出コントローラと送出ＨＤＤ内蔵デコーダーとを統合して最低のコストで信頼性の高い冗長システムとしても良い。
【００３１】
つまり、本発明はネットワーク型ビデオサーバーシステムで、１系の現用側と２系の予備側とにさらにそれぞれバックアップ系とを追加した４重系の構成から、統合サーバーとデコーダーだけの最小構成まで幅広い構成において、ローカル記憶部を内蔵したデコーダーにより、低コストで信頼性の高い冗長システムとすることが可能となる。
【００３２】
また、実施例３では、図６と図７の広帯域なネットワークを複数の高速で低遅延な仮想化専用回線として１７から２０の統合サーバーと２１から２４の統合ＳＳＤを仮想化したサーバーとしてデータセンター等に委託する、いわゆるクラウド化すれば、高価な統合サーバーが不要になり、低価格化できる。複数の高速で低遅延な仮想化専用回線または仮想化したサーバーに障害が起きたとしても、仮想化したサーバーとは別にローカルドライブに素材蓄積を行なう送出デーコダーからの送出も可能となる。
【００３３】
そして、図６と図７の広帯域なネットワークを非特許文献４等の高速で低遅延なネットワークで構築された仮想化専用回線とすれば、各機器の配置の自由度は高くなる。また最近のデータセンターと放送電波塔は免振構造となっている。そこで、１７から２０の統合サーバーと２１から２４の統合ＳＳＤを仮想化したサーバーとしてデータセンターに設置し、１５と１６とのＨＤＤ内蔵デコーダーを図示しない放送電波塔に設置すれば、地震の振動を吸収するので、免振構造の建物に設置した統合ＳＳＤと内蔵ＨＤＤとは、非特許文献３等の低価格で大容量の高信頼３．５型ＨＤＤとすれば、さらに低価格化できる。また免振構造でない建物にＨＤＤを内蔵したデコーダーを設置する場合は、ＨＤＤを内蔵したデコーダーを免振ラック等の部分的な免振構造に組み込み、地震の振動を吸収してもよい。集積度が向上する将来は１７から２０の統合サーバーと２１から２４の統合ＳＳＤまたは仮想化したサーバーを免振ラック等の部分的な免振構造に組み込み、地震の振動を吸収してもよい。また、１５と１６とのＨＤＤ内蔵デコーダーを図示しない放送電波塔に設置すれば、図６と図７の１７から２０の統合サーバーと２１から２４の統合ＳＳＤとに障害発生時だけではなく、ネットワークに障害発生時にも影響を受けることがなく、１５と１６とのＨＤＤ内蔵デコーダーに蓄積している直近の素材は問題なく送出を行なう事が可能となる。
【００３４】
また、スタジオを複数所有する放送局において、スタジオ間の回線を非特許文献４等の高速で低遅延なネットワークで構築された仮想化専用回線とし、図６と図７の１５と１６とのＨＤＤ内蔵デコーダーを図示しない地震の振動を吸収する放送電波塔に設置すれば、複数のスタジオおよび仮想化専用回線に障害発生時にも影響を受けることがなく、図示しない地震の振動を吸収する放送電波塔に設置した１５と１６とのＨＤＤ内蔵デコーダーに蓄積している直近の素材は問題なく送出を行なう事が可能となる。
図６と図７の１７から２０の統合サーバーと２１から２４の統合ＳＳＤは、1つのスタジオに集中設置しても良いし、仮想化したサーバーとして複数スタジオに分散設置しても良い。
【００３５】
また、東京のキー局と地方の放送局からなる系列局において、系列局間の回線を非特許文献４等の高速で低遅延なネットワークで構築された仮想化専用回線とし、図６と図７の１７から２０の統合サーバーと２１から２４の統合ＳＳＤを仮想化したサーバーとして地震と停電の可能性の低い地方の放送局に設置し、図６と図７の１５と１６とのＨＤＤ内蔵デコーダーを図示しない地震の振動を吸収する放送電波塔に設置する。地震または停電により、放送局および仮想化専用回線に障害発生時にも影響を受けることがなく、図示しない地震の振動を吸収する放送電波塔に設置した１５と１６とのＨＤＤ内蔵デコーダーに蓄積している直近の素材は問題なく送出を行なう事が可能となる。
さらに、図６と図７の上位システムと３と９の送出コントローラを無線ネットワーク接続された内蔵バッテリーで長時間稼働可能なノートブックパソコンに置き換える。
具体的な動作順序としては、１系を現用側の機器として、３の無線ネットワーク接続されたノートブックパソコンの指示に従い、１５の１系送出ＨＤＤ内蔵デコーダーは１７の１系統合サーバーに素材転送を要求し、２１の１系統合ＳＳＤから１７の１系統合サーバー経由で転送された圧縮されていた素材から１５の１系送出ＨＤＤ内蔵デコーダーでデコードされた出力映像信号がＯＡされる。また、２系を予備側の機器として、９の無線ネットワーク接続されたノートブックパソコンの指示に従い、１６の２系送出ＨＤＤ内蔵デコーダーは１０の２系送出サーバーに素材転送を要求し、１１の２系素材ＳＳＤから１０の２系送出サーバー経由で転送された圧縮されていた素材から１６の２系送出ＨＤＤ内蔵デコーダーでデコードされた出力映像信号がＯＡされる準備をバックグラウンドで常にしている。
その結果、図６と図７の上位システムと３と９の送出コントローラを無線ネットワーク接続された内蔵バッテリーで長時間稼働可能なノートブックパソコンに置き換え可能とすれば、各放送局の障害が復旧しなくとも、無線ネットワークが稼働継続または障害が復旧すれば、統合サーバーの統合ＳＳＤの素材は問題なく送出を行なう事が可能となる。そして、放送電波塔が稼働継続していれば、放送電波塔に設置した１５と１６とのＨＤＤ内蔵デコーダーに蓄積している直近の素材は問題なく送出を行なう事が可能となる。
つまり、低コストでより信頼性の高い冗長システムとすることが可能となる。
【００３６】
本発明は、番組素材をビデオサーバーに映像ファイルデータ形式で記録し再生し変換して放送する方式のビデオサーバーシステムに関し、映像ファイルデータを転送するネットワークを有するものの信頼性向上と低価格化に適用できる。特に、デコーダーやトランスコーダーに内蔵される記憶部の大容量化と小型化とを活用し信頼性向上と低価格化に適用できる。また、仮想化専用回線の高速化と低価格化とを活用し信頼性向上と低価格化に適用できる。さらに、無線ネットワーク接続された内蔵バッテリーで長時間稼働可能なノートブックパソコンを活用し信頼性向上と低価格化に適用できる。
【符号の説明】
【００３７】
１：１系素材（登録）サーバー、２：１系素材ＨＤＤ、
３：１系送出コントローラ、４：１系送出サーバー、
５：１系送出ＳＳＤ、６：１系デコーダー、
７：２系素材（登録）サーバー、８：２系素材ＳＳＤ、
９：２系送出コントローラ、１０：２系送出サーバー、
１１：２系送出ＳＳＤ、１２：２系デコーダー、
１３：バックアップ系送出コントローラ、
１４：バックアップ系ＨＤＤ内蔵デコーダー、
１５：１系送出大容量記憶部内蔵出力部（デコーダーまたはトランスコーダー）、
１６：２系送出大容量記憶部内蔵出力部（デコーダーまたはトランスコーダー）、
１７：１系統合サーバー、１８：２系統合サーバー、
１９：１系バックアップ統合サーバー、２０：２系バックアップ統合サーバー、
２１：１系統合ＳＳＤ、２２：２系統合ＳＳＤ、
２３：１系バックアップ統合ＳＳＤ、２４：２系バックアップ統合ＳＳＤ、
【図１】
2012253733.tif 000003
【図２】
2012253733.tif 000004
【図３】
2012253733.tif 000005
【図４】
2012253733.tif 000006
【図５】
2012253733.tif 000007
【図６】
2012253733.tif 000008
【図７】
2012253733.tif 000009